(57)【要約】【課題】表示パネルを収納した状態であっても、表示パネルの表示を確認することが可能な表示装置を提供する。【解決手段】表示パネルと、表示パネルを収納する筐体と、を有し、表示パネルは、第１表示領域及び第２表示領域を有し、第１表示領域は、筐体から表示パネルが露出されたとき、第１方向から表示を視認でき、第２表示領域は、表示パネルが筐体に収納されたたとき、第１方向と反対の第２方向から、表示を視認できる。【選択図】図３
2018180254.tif 000002
【特許請求の範囲】
【請求項１】
可撓性を有する表示パネルと、前記表示パネルを収納する筐体と、を有し、
前記表示パネルは、第１表示領域及び第２表示領域を有し、
前記第１表示領域及び前記第２表示領域は、前記表示パネルが前記筐体から露出されたとき、第１方向から表示を視認でき、
前記第２表示領域は、前記表示パネルが前記筐体に収納されたたとき、前記第１方向と反対の第２方向から、表示を視認できる、表示装置。
【請求項２】
前記第２表示領域の上方に第１偏光板が設けられ、
前記第２表示領域の下方に第２偏光板が設けられ、
前記第１偏光板と前記第２偏光板とは、クロスニコル状態をなす、請求項１に記載の表示装置。
【請求項３】
前記第１表示領域の上方に、第３偏光板が設けられる、請求項１に記載の表示装置。
【請求項４】
前記第２表示領域の下方に、タッチパネルが設けられる、請求項１に記載の表示装置。
【請求項５】
前記第１表示領域及び前記第２表示領域の上方に、タッチパネルが設けられる、請求項１に記載の表示装置。
【請求項６】
前記第１表示領域は、第１発光素子を有し、
前記第１発光素子は、反射性を有する画素電極と、第１有機層と、透光性を有する対向電極と、を有し、
前記第２表示領域は、第２発光素子を有し、
前記第２発光素子は、透光性を有する画素電極と、第２有機層と、前記対向電極と、を有する、請求項１に記載の表示装置。
【請求項７】
可撓性を有する表示パネルと、前記表示パネルを収納する筒状の筐体と、を有し、
前記表示パネルは、第１表示領域及び第２表示領域を有し、
前記筒状の筐体は、開口部を有し、
前記表示パネルが前記筒状の筐体に収納されたとき、前記開口部から前記第２表示領域の表示を視認できる、表示装置。
【請求項８】
前記第２表示領域の上方に第１偏光板が設けられ、
前記第２表示領域の下方に第２偏光板が設けられ、
前記第１偏光板と前記第２偏光板とは、クロスニコル状態をなす、請求項７に記載の表示装置。
【請求項９】
前記第１表示領域の上方に、第３偏光板が設けられる、請求項７に記載の表示装置。
【請求項１０】
前記第２表示領域の下方に、タッチパネルが設けられる、請求項７に記載の表示装置。
【請求項１１】
前記第１表示領域及び前記第２表示領域の上方に、タッチパネルが設けられる、請求項７に記載の表示装置。
【請求項１２】
前記第１表示領域は、第１発光素子を有し、
前記第１発光素子は、反射性を有する画素電極と、第１有機層と、透光性を有する対向電極と、を有し、
前記第２表示領域は、第２発光素子を有し、
前記第２発光素子は、透光性を有する画素電極と、第２有機層と、前記対向電極と、を有する、請求項７に記載の表示装置。
【請求項１３】
可撓性を有する表示パネルと、前記表示パネルを収納する折り曲げ可能な筐体と、を有し、
前記表示パネルは、第１表示領域及び第２表示領域を有し、
前記筐体は、開口部を有し、
前記筐体が折り畳まれたとき、前記開口部から前記第２表示領域の表示を視認できる、表示装置。
【請求項１４】
前記第２表示領域の上方に第１偏光板が設けられ、
前記第２表示領域の下方に第２偏光板が設けられ、
前記第１偏光板と前記第２偏光板とは、クロスニコル状態をなす、請求項１３に記載の表示装置。
【請求項１５】
前記第１表示領域の上方に、第３偏光板が設けられる、請求項１３に記載の表示装置。
【請求項１６】
前記第２表示領域の下方に、タッチパネルが設けられる、請求項１３に記載の表示装置。
【請求項１７】
前記第１表示領域及び前記第２表示領域の上方に、タッチパネルが設けられる、請求項１３に記載の表示装置。
【請求項１８】
前記第１表示領域は、第１発光素子を有し、
前記第１発光素子は、反射性を有する画素電極と、第１有機層と、透光性を有する対向電極と、を有し、
前記第２表示領域は、第２発光素子を有し、
前記第２発光素子は、透光性を有する画素電極と、第２有機層と、前記対向電極と、を有する、請求項１３に記載の表示装置。
【発明の詳細な説明】
【技術分野】
【０００１】
本発明は、フレキシブルな表示装置に関する。
【背景技術】
【０００２】
従来、表示装置として、有機エレクトロルミネッセンス材料（有機ＥＬ材料）を表示部の発光素子（有機ＥＬ素子）に用いた有機ＥＬ表示装置（Organic Electroluminescence Display）が知られている。有機ＥＬ表示装置は、液晶表示装置等とは異なり、有機ＥＬ材料を発光させることにより表示を実現するいわゆる自発光型の表示装置である。
【０００３】
また、折り曲げ可能なフレキシブル基板に、表示部、配線などを形成して、曲げられても表示可能な表示装置が注目されている。
【０００４】
特許文献１には、筐体に、表示パネルを巻き取り可能な表示装置が開示されている。表示装置を使用しないときには、表示パネルを筐体の中に巻き取ることができ、表示装置を使用するときには、ローラーから表示パネルを上方に引き上げ、繰り広げることができる。これにより、表示装置をインテリアとして活用することができる。
【先行技術文献】
【特許文献】
【０００５】
【特許文献１】特開２０１６−１２２２０６号公報
【発明の概要】
【発明が解決しようとする課題】
【０００６】
従来、表示パネルを巻き取り可能な表示装置や、表示パネルを収納可能な表示装置では、使用しない場合、筐体の中に表示パネルが収納されてしまうため、表示を確認することができなかった。このため、スマートフォンや、タブレットなどの携帯端末として使用する場合、その都度、表示パネルを筐体から繰り広げる必要があるため、ユーザにとって利便性が低いという問題がある。
【０００７】
上記問題に鑑み、本発明は、表示パネルを収納した状態であっても、表示パネルの表示を確認することが可能な表示装置を提供することを目的の一つとする。
【課題を解決するための手段】
【０００８】
本発明の一実施形態に係る表示装置は、可撓性を有する表示パネルと、表示パネルを収納する筐体と、を有し、表示パネルは、第１表示領域及び第２表示領域を有し、第１表示領域及び第２表示領域は、表示パネルが筐体から露出されたとき、第１方向から表示を視認でき、第２表示領域は、表示パネルが筐体に収納されたたとき、第１方向と反対の第２方向から、表示を視認できる。
【０００９】
本発明の一実施形態に係る表示装置は、可撓性を有する表示パネルと、表示パネルを収納する折り曲げ可能な筐体と、を有し、表示パネルは、第１表示領域及び第２表示領域を有し、筐体は、開口部を有し、筐体が折り畳まれたとき、開口部から第２表示領域の表示を視認できる。
【００１０】
本発明の一実施形態に係る表示装置は、可撓性を有する表示パネルと、表示パネルを収納する筒状の筐体と、を有し、表示パネルは、第１表示領域及び第２表示領域を有し、筒状の筐体は、開口部を有し、表示パネルが筒状の筐体に収納されたとき、開口部から第２表示領域の表示を視認できる。
【図面の簡単な説明】
【００１１】
【図１】本発明の一実施形態に係る表示装置から表示パネルを繰り広げた状態の概略図である。
【図２】本発明の一実施形態に係る表示装置の構成を示した概略図である。
【図３】本発明の一実施形態に係る表示装置の構成を示した概略図である。
【図４】本発明の一実施形態に係る表示装置を折り曲げた状態の概略図である。
【図５】本発明の一実施形態に係る表示装置を折り畳んだ状態の概略図である。
【図６】本発明の一実施形態に係る表示装置の構成を示した概略図である。
【図７】本発明の一実施形態に係る表示装置から表示パネルを繰り広げた状態の概略図である。
【図８】本発明の一実施形態に係る表示装置の構成を示した概略図である。
【図９】本発明の一実施形態に係る表示装置の平面視における概略図である。
【図１０】図９におけるＡ１−Ａ２線に沿った断面図である。
【図１１】図９におけるＢ１−Ｂ２線に沿った断面図である。
【発明を実施するための形態】
【００１２】
以下、本発明の各実施の形態について、図面等を参照しつつ説明する。但し、本発明は、その要旨を逸脱しない範囲において様々な態様で実施することができ、以下に例示する実施の形態の記載内容に限定して解釈されるものではない。また、図面に関して、説明をより明確にするため、実際の態様に比べて各部の幅、厚さ、形状等を模式的に表す場合があるが、それら模式的な図は一例であって、本発明の解釈を限定するものではない。さらに、本明細書等と各図において、既出の図に関して説明したものと同一又は類似の要素には、同一の符号を付して、重複する説明を省略することがある。
【００１３】
本発明において、ある一つの膜を加工して複数の膜を形成した場合、これら複数の膜は異なる機能、役割を有することがある。しかしながら、これら複数の膜は同一の工程で同一層として形成された膜に由来し、同一の層構造、同一の材料を有する。したがって、これら複数の膜は同一層に存在しているものと定義する。
【００１４】
なお、本明細書等において、図面を説明する際の「上」、「下」などの表現は、着目する構造体と他の構造体との相対的な位置関係を表現している。本明細書等では、側面視において、後述する絶縁表面からバンクに向かう方向を「上」と定義し、その逆の方向を「下」と定義する。本明細書等および特許請求の範囲において、ある構造体の上に他の構造体を配置する態様を表現するにあたり、単に「上に」と表記する場合、特に断りの無い限りは、ある構造体に接するように、直上に他の構造体を配置する場合と、ある構造体の上方に、さらに別の構造体を介して他の構造体を配置する場合との両方を含むものとする。
【００１５】
なお、本明細書等における「第１」、「第２」、「第３」などの序数は、説明を簡潔にするためだけに用いられており、限定的に解釈されるべきではない。
【００１６】
（第１実施形態）
本実施形態では、本発明の一実施形態に係る表示装置について、図１乃至図８を参照して説明する。
【００１７】
〈表示装置１〉
図１及び図２に、本発明の一実施形態に係る表示装置の構成を示した概略図を示す。図１に示す表示装置は、表示パネルを巻き取り可能な表示装置であり、図１では、表示パネルが繰り広げられた状態を示している。また、図２では、表示パネルが筐体から露出された状態を示している。
【００１８】
図１に示す表示装置２１０は、可撓性を有する表示パネル１００と、表示パネル１００を収納する筐体２１１と、を有する。また、筐体２１１には、軸２１２と、開口部２１３と、表示パネル１００の取り出し口２１４と、が設けられている。軸２１２によって、表示パネル１００を巻き取ることが可能であり、開口部２１３によって、巻き取られた表示パネル１００の一部を露出させることができる。また、取り出し口２１４によって、表示パネル１００を出し入れすることができる。
【００１９】
図１に示す表示パネル１００は、表示領域１０３ａ及び表示領域１０３ｂを有する。本実施形態に示す表示装置は、図１に示すように、表示パネル１００が筐体２１１から露出されたとき、表示領域１０３ａ及び表示領域１０３ｂは、第１方向から表示を視認できる。
【００２０】
また、図２に示すように、表示パネル１００が筐体２１１に収納された場合、筐体２１１に設けられた開口部２１３と、表示領域１０３ｂと、が一致する。このとき、表示領域１０３ｂは、第１方向と反対の第２方向から表示を視認できる。つまり、表示領域１０３ｂは、第１方向だけでなく、第２方向からでも表示を視認できる構成となっている。
【００２１】
また、筐体２１１の色によって、表示領域１０３ｂの表示を調節することができる。例えば、筐体２１１を白い色（例えば、白色樹脂）にすることで、光を反射させることができるため、明るく見える。また、筐体２１１の色を黒い色（例えば、黒色樹脂）にすることで、光を吸収させることができるため、コントラストが向上する。
【００２２】
従来、表示パネルを巻き取り可能な表示装置や、表示パネルを収納可能な表示装置では、表示装置を使用しない場合、筐体の中に表示パネルが収納されてしまうため、表示を確認することができなかった。このため、スマートフォンや、タブレットなどの携帯端末として使用する場合、その都度、表示パネルを筐体から繰り広げる必要があるため、ユーザにとって利便性が低いという問題があった。
【００２３】
本発明の一実施形態に係る表示装置では、第１方向から表示を視認できる表示領域１０３ａと、第１方向及び第１方向と反対の第２方向から表示を視認できる表示領域１０３ｂと、を有している。そのため、表示パネル１００が、筐体２１１に収納された状態であっても、表示領域１０３ｂの表示を第２方向から視認することができる。表示パネル１００が、筐体２１１に収納された状態であっても、表示領域１０３ｂにおいて、例えば、電話の着信やメールの着信などを確認することができる。これにより、電話の着信及びメールの着信を確認するために、筐体２０１を開く必要がなくなるため、ユーザの利便性を向上することができる。
【００２４】
図１及び図２に図示しないが、表示領域１０３ａ及び表示領域１０３ｂのそれぞれに偏光板を設けることが好ましい。例えば、表示領域１０３ａでは、表示領域１０３ａの上方に、偏光板を設ける構成とし、表示領域１０３ｂでは、表示領域１０３ｂを挟むように第１偏光板及び第２偏光板が設ける構成とする。表示領域１０３ａの上方に設けられる偏光板は、円偏光板とすることが好ましい。また、表示領域１０３ｂの上方に第１偏光板が設けられ、表示領域１０３ｂの下方に第２偏光板が設けられる。このとき、表示領域１０３ｂにおいて、クロスニコル状態をなすように第１偏光板と第２偏光板とを設けることにより、表示領域１０３ｂにおける画質を向上させることができる。
【００２５】
図１及び図２に図示しないが、表示パネル１００の表示面側にタッチパネルを設けることができる。また、表示領域１０３ｂについては、裏面側にもタッチパネルを設けることができる。これにより、表示パネル１００が、筐体２１１に収納された状態であっても、表示領域１０３ｂの表示を確認して、表示領域１０３ｂの裏面側からタッチパネルによって操作することができる。なお、表示領域１０３ａ及び表示領域１０３ｂにおいて、偏光板が設けられている場合には、偏光板を介して、タッチパネルが設けられる。
【００２６】
〈表示装置２〉
図３乃至図５に、本発明の一実施形態に係る表示装置の構成を示した概略図を示す。図３乃至図５に示す表示装置は、筐体と共に表示パネルを折り曲げることが可能な表示装置であり、図３では、筐体と共に表示パネルが開かれた状態を示している。また、図４では、筐体と共に表示パネルを折り曲げた状態を示しており、図５では、筐体と共に表示パネルを折り畳んだ状態を示している。
【００２７】
図３に示す表示装置２００は、可撓性を有する表示パネル１００と、表示パネル１００を収納する筐体２０１と、を有する。また、筐体２０１には、ヒンジ２０２と、図５に示す開口部２０３と、が設けられている。ヒンジ２０２によって、筐体２０１を折り畳むことが可能となる。開口部２０３によって、折り畳まれた表示パネル１００の一部を露出させることができる。筐体２０１にヒンジ２０２を設けることにより、表示装置２００を折り曲げることが容易になる。なお、筐体２０１の柔軟性によっては、ヒンジ２０２を設けなくてもよい。
【００２８】
図３に示す表示パネル１００は、表示領域１０３ａ及び表示領域１０３ｂを有する。本実施形態に示す表示装置は、図１に示すように、筐体２０１と共に表示パネル１００が開かれた状態では、表示領域１０３ａ及び表示領域１０３ｂは、第１方向から表示を視認できる。
【００２９】
また、筐体２０１には、開閉センサが設けられていてもよい。開閉センサによって、筐体２０１が開かれたことが検知されると、表示領域１０３ｂは、第１方向から視認できるように制御される。また、開閉センサによって、筐体２０１が閉じられたことが検知されると、表示領域１０３ｂは、第２方向から視認できるように制御される。
【００３０】
また、図５に示すように、筐体２０１に設けられた開口部２０３と、表示領域１０３ｂと、が一致する。このとき、表示領域１０３ｂは、第１方向と反対の第２方向から表示を視認できる。つまり、表示領域１０３ｂは、第１方向だけでなく、第２方向からでも表示を視認できる構成となっている。
【００３１】
また、筐体２０１の色によって、表示領域１０３ｂの表示を調節することができる。例えば、筐体２０１を白い色（例えば、白色樹脂）にすることで、光を反射させることができるため、明るく見える。また、筐体２０１の色を黒い色（例えば、黒色樹脂）にすることで、光を吸収させることができるため、コントラストが向上する。
【００３２】
本発明の一実施形態に係る表示装置では、第１方向から表示を視認できる表示領域１０３ａと、第１方向及び第１方向と反対の第２方向から表示を視認できる表示領域１０３ｂと、を有している。そのため、表示パネル１００が、折り畳まれた状態であっても、表示領域１０３ｂの表示を第２方向から視認することができる。表示パネル１００が、折り畳まれた状態であっても、表示領域１０３ｂにおいて、例えば、電話の着信やメールの着信などを確認することができる。これにより、電話の着信及びメールの着信を確認するために、筐体２０１を開く必要がなくなるため、ユーザの利便性を向上することができる。
【００３３】
図３乃至図５に図示しないが、表示領域１０３ａ及び表示領域１０３ｂのそれぞれに偏光板を設けることが好ましい。例えば、表示領域１０３ａでは、表示領域１０３ａの上方に、偏光板を設ける構成とし、表示領域１０ｂでは、表示領域１０３ｂを挟むように第１偏光板及び第２偏光板が設ける構成とする。表示領域１０３ａの上方に設けられる偏光板は、円偏光板とすることが好ましい。また、表示領域１０３ｂの上方に第１偏光板が設けられ、表示領域１０３ｂの下方に第２偏光板が設けられる。このとき、表示領域１０３ｂにおいて、クロスニコル状態をなすように第１偏光板と第２偏光板とを設けることにより、表示領域１０３ｂにおける画質を向上させることができる。
【００３４】
図３乃至図５に図示しないが、表示パネル１００の表示面側にタッチパネルを設けることができる。また、表示領域１０３ｂについては、裏面側にもタッチパネルを設けることができる。これにより、表示パネル１００が、折り畳まれた状態であっても、表示領域１０３ｂの表示を確認して、表示領域１０３ｂの裏面側からタッチパネルによって操作することができる。なお、表示領域１０３ａ及び表示領域１０３ｂにおいて、偏光板が設けられている場合には、偏光板を介して、タッチパネルが設けられる。
【００３５】
また、図６に示すように、表示領域１０３において、表示領域１０３ａと表示領域１０３ｂとを同じ面積で設けることも可能である。また、表示装置２００を開いた状態で使用する場合、表示領域１０３ｂの背面をカバーで覆うこともできる。これにより、表示領域１０３ｂにおいて、コントラストを高めることができ、視認性を高めることができる。
【００３６】
〈表示装置３〉
図７及び図８に、本発明の一実施形態に係る表示装置の構成を示した概略図を示す。図７及び図８に示す表示装置は、クリップボードとして使用する例を示す。また、表示装置２２０は、表示パネルを収納可能な表示装置であり、図７では、表示パネルが開かれた状態を示している。また、図８では、表示パネルが収納部に収納された状態を示している。
【００３７】
図７に示す表示装置２２０は、可撓性を有する表示パネル１００と、表示パネル１００を収納する筐体２２１と、を有する。また、筐体２２１には、収納部２２５と、開口部２２３と、取り出し口２２４と、が設けられている。収納部２２５によって、表示パネル１００を収納することができ、開口部２２３によって、収納された表示パネルの一部を露出させることができる。また、取り出し口２１４によって、表示パネル１００を出し入れすることができる。また、筐体２２１は、クリップ２２５ａ及びクリップ２２５ｂを有しており、広げられた表示パネル１００を固定することができる。
【００３８】
図７に示す表示パネル１００は、表示領域１０３ａ及び表示領域１０３ｂを有する。本実施形態に示す表示装置は、図８に示すように、表示パネル１００が収納部２２５から露出されたとき、表示領域１０３ａ及び表示領域１０３ｂは、第１方向から表示を視認できる。
【００３９】
また、図８に示すように、表示パネル１００が収納部２２５に収納された場合、収納部２２５に設けられた開口部２２３と、表示領域１０３ｂと、が一致する。このとき、表示領域１０３ｂは、第１方向と反対の第２方向から表示を視認できる。つまり、表示領域１０３ｂは、第１方向だけでなく、第２方向からでも表示を視認できる構成となっている。
【００４０】
また、筐体２２１の色によって、表示領域１０３ｂの表示を調節することができる。例えば、筐体２２１を白い色（例えば、白色樹脂）にすることで、光を反射させることができるため、明るく見える。また、筐体２２１の色を黒い色（例えば、黒色樹脂）にすることで、光を吸収させることができるため、コントラストが向上する。
【００４１】
本発明の一実施形態に係る表示装置では、第１方向から表示を視認できる表示領域１０３ａと、第１方向及び第１方向と反対の第２方向から表示を視認できる表示領域１０３ｂと、を有している。そのため、表示パネル１００が、筐体２１１に収納された状態であっても、表示領域１０３ｂの表示を第２方向から視認することができる。表示パネル１００が、筐体２１１に収納された状態であっても、表示領域１０３ｂにおいて、例えば、電話の着信やメールの着信などを確認することができる。これにより、電話の着信及びメールの着信を確認するために、筐体２０１を開く必要がなくなるため、ユーザの利便性を向上することができる。
【００４２】
図７及び図８に図示しないが、表示領域１０３ａ及び表示領域１０３ｂのそれぞれに偏光板を設けることが好ましい。例えば、表示領域１０３ａでは、表示領域１０３ａの上方に、偏光板を設ける構成とし、表示領域１０ｂでは、表示領域１０３ｂを挟むように第１偏光板及び第２偏光板が設ける構成とする。表示領域１０３ａの上方に設けられる偏光板は、円偏光板とすることが好ましい。また、表示領域１０３ｂの上方に第１偏光板が設けられ、表示領域１０３ｂの下方に第２偏光板が設けられる。このとき、表示領域１０３ｂにおいて、クロスニコル状態をなすように第１偏光板と第２偏光板とを設けることにより、表示領域１０３ｂにおける画質を向上させることができる。
【００４３】
図７及び図８に図示しないが、表示パネル１００の表示面側にタッチパネルを設けることができる。また、表示領域１０３ｂについては、裏面側にもタッチパネルを設けることができる。これにより、表示パネル１００が、収納部２２５に収納された状態であっても、表示領域１０３ｂの表示を確認して、表示領域１０３ｂの裏面側からタッチパネルによって操作することができる。なお、表示領域１０３ａ及び表示領域１０３ｂにおいて、偏光板が設けられている場合には、偏光板を介して、タッチパネルが設けられる。
【００４４】
（第２実施形態）
図９は、本発明の一実施形態に係る折り曲げ可能な表示パネル１００の構成を示した概略図であり、表示パネル１００を平面視した場合における概略構成を示している。本明細書等では、表示パネル１００を画面（表示領域）に垂直な方向から見た様子を「平面視」と呼ぶ。
【００４５】
図９に示すように、表示パネル１００は、絶縁表面上に形成された、表示領域１０３と、走査線駆動回路１０４と、データ線駆動回路１０５と、ドライバＩＣ１０６と、を有する。ドライバＩＣ１０６は、走査線駆動回路１０４及びデータ線駆動回路１０５に信号を与える制御部として機能する。データ線駆動回路１０５は、ドライバＩＣ１０６内に組み込まれていてもよい。また、ドライバＩＣ１０６は、ＣＯＦ（Chip on Plastic）にてドライバＩＣ１０６が実装されたフレキシブルプリント基板１０８上に設けて外付けされているが、基板１０１上に配置してもよい。なお、図９において、ドライバＩＣ１０６は、フレキシブルプリント基板１０８の裏面に設けられている。フレキシブルプリント基板１０８は、周辺領域１１０に設けられた端子１０７と接続される。また、フレキシブルプリント基板１０８は、端子部１５２を介して、ＦＰＣ（Flexible Printed Circuits）１５３と接続される。
【００４６】
ここで、絶縁表面は、基板１０１の表面である。基板１０１は、その表面上に設けられるトランジスタや発光素子などを構成する各層を支持する。本実施形態では、基板１０１として、折り曲げ可能な基板を用いる。基板１０１として、ポリイミド、アクリル、エポキシ、ポリエチレンテレフタラートなどの有機樹脂材料を用いることができる。また、基板１０１として、光を透過する材料であることが好ましい。
【００４７】
図９に示す表示領域１０３には、複数の画素がマトリクス状に配置される。各画素は、後述する画素電極と、該画素電極の一部（アノード）、該画素電極上に積層された発光層を含む有機層（発光部）及び陰極（カソード）からなる発光素子と、を含む。各画素１０９には、データ線駆動回路１０５から画像データに応じたデータ信号が与えられる。それらデータ信号に従って、各画素に設けられた画素電極に電気的に接続されたトランジスタを駆動し、画像データに応じた画面表示を行うことができる。トランジスタとしては、典型的には、薄膜トランジスタ（Thin Film Transistor：ＴＦＴ）を用いることができる。但し、薄膜トランジスタに限らず、電流制御機能を備える素子であれば、如何なる素子を用いても良い。
【００４８】
また、図９に示す表示領域１０３は、表示領域１０３ａ及び表示領域１０３ｂを有する。表示領域１０３ａでは、複数の画素１０９ａが配置され、表示領域１０３ｂでは、複数の画素１０９ｂが配置される。表示領域１０３ａにおける画素１０９ａが有する発光素子の画素電極は、光を反射させる機能を有し、表示領域１０３ｂにおける画素１０９ｂが有する発光素子の画素電極は、光を透過させる機能を有する。また、表示領域１０３ａの面積は、表示領域１０３ｂの面積よりも大きい例について示している。
【００４９】
〈画素の構成〉
次に、図９に示す表示領域１０３ａが有する画素１０９ａの構成及び表示領域１０３ｂが有する画素１０９ｂの構成について、図１０及び図１１を参照して説明する。具体的には、図１０には、図９に示した表示領域１０３ａのＡ１−Ａ２線で切断した断面の構成を示し、図１１には、図９に示した表示領域１０３ｂのＢ１−Ｂ２線で切断した断面の構成を示す。
【００５０】
図１０に、表示領域１０３ａにおける画素１０９ａの断面構造について示す。基板１０１、第２基板１１２、及び対向基板１０２として、ガラス基板、石英基板、フレキシブル基板（ポリイミド、ポリエチレンテレフタレート、ポリエチレンナフタレート、トリアセチルセルロース、環状オレフィン・コポリマー、シクロオレフィンポリマー、その他の可撓性を有する樹脂基板）を用いることができる。本実施形態では、表示パネル１００を折り曲げることができるように、基板１０１及び第２基板１１２として、フレキシブル基板を使用する例について説明する。また、基板１０１及び第２基板１１２は、透光性を有することが好ましく、無色透明であることがより好ましい。
【００５１】
基板１０１上には、下地膜１１３が設けられる。下地膜１１３は、酸化シリコン、窒化シリコン、酸化アルミニウム等の無機材料で構成される絶縁層である。下地膜１１３は、単層に限定されるわけではなく、例えば、酸化シリコン層と窒化シリコン層とを組み合わせた積層構造を有してもよい。この構成は、基板１０１との密着性や、後述するトランジスタ１２０に対するガスバリア性を考慮して適宜決定すれば良い。
【００５２】
下地膜１１３上には、トランジスタ１２０が設けられる。トランジスタ１２０の構造は、トップゲート型であってもボトムゲート型であってもよい。本実施形態では、トランジスタ１２０は、下地膜１１３上に設けられた半導体層１１４、半導体層１１４を覆うゲート絶縁膜１１５、ゲート絶縁膜１１５上に設けられたゲート電極１１６を含む。また、トランジスタ１２０上には、ゲート電極１１６を覆う層間絶縁層１２２、層間絶縁層１２２上に設けられ、それぞれ半導体層１１４に接続されたソース電極又はドレイン電極１１７、ソース電極又はドレイン電極１１８が設けられている。なお、本実施形態では、層間絶縁層１２２が単層構造を有している例を説明しているが、層間絶縁層１２２は積層構造を有していてもよい。
【００５３】
なお、トランジスタ１２０を構成する各層の材料は、公知の材料を用いればよく、特に限定はない。例えば、半導体層１１４としては、一般的にはポリシリコン、アモルファスシリコン又は酸化物半導体を用いることができる。ゲート絶縁膜１１５としては、酸化シリコン又は窒化シリコンを用いることができる。ゲート電極１１６は、銅、モリブデン、タンタル、タングステン、アルミニウムなどの金属材料で構成される。層間絶縁層１２２としては、酸化シリコンまたは窒化シリコンを用いることができる。ソース電極又はドレイン電極１１７、ソース電極又はドレイン電極１１８は、それぞれ銅、チタン、モリブデン、アルミニウムなどの金属材料で構成される。
【００５４】
なお、図１０には図示しないが、ゲート電極１１６と同じ層には、ゲート電極１１６を構成する金属材料と同一の金属材料で構成された第１配線を設けることができる。第１配線は、例えば、走査線駆動回路１０４によって駆動される走査線等として設けることができる。また、図１０には図示しないが、ソース電極又はドレイン電極１１７、ソース電極又はドレイン電極１１８と同じ層には、第１配線と交差する方向に延在する第２配線を設けることができる。該第２配線は、例えば、データ線駆動回路１０５によって駆動されるデータ線等として設けることができる。
【００５５】
トランジスタ１２０上には、平坦化膜１２３が設けられる。平坦化膜１２３は、有機樹脂材料を含んで構成される。有機樹脂材料としては、例えば、ポリイミド、ポリアミド、アクリル、エポキシ等の公知の有機樹脂材料を用いることができる。これらの材料は、溶液塗布法により膜形成が可能であり、平坦化効果が高いという特長がある。特に図示しないが、平坦化膜１２３は、単層構造に限定されず、有機樹脂材料を含む層と無機絶縁層との積層構造を有してもよい。
【００５６】
平坦化膜１２３は、ソース電極又はドレイン電極１１８の一部を露出させるコンタクトホールを有する。コンタクトホールは、後述する画素電極１２５とソース電極又はドレイン電極１１８とを電気的に接続するための開口部である。したがって、コンタクトホールは、ソース電極又はドレイン電極１１８の一部に重畳して設けられる。コンタクトホールの底面では、ソース電極又はドレイン電極１１８が露出される。
【００５７】
平坦化膜１２３上には、保護膜１２４が設けられる。保護膜１２４は、平坦化膜１２３に形成されたコンタクトホールに重畳する。保護膜１２４は、水分や酸素に対するバリア機能を有することが好ましく、例えば、窒化シリコン膜や酸化アルミニウムなどの無機絶縁材料を用いて形成される。
【００５８】
保護膜１２４上には、画素電極１２５が設けられる。画素電極１２５は、平坦化膜１２３及び保護膜１２４が有するコンタクトホールに重畳し、コンタクトホールの底面で露出されたソース電極又はドレイン電極１１８と電気的に接続する。図１０に示す表示領域１０３ａにおいて、画素電極１２５は、発光素子１３０ａを構成する陽極（アノード）として機能する。画素電極１２５は、トップエミッション型であるかボトムエミッション型であるかで異なる構成となる。例えば、トップエミッション型である場合、画素電極１２５として反射率の高い金属層を用いるか、酸化インジウム系透明導電層（例えばＩＴＯ）や酸化亜鉛系透明導電層（例えばＩＺＯ、ＺｎＯ）といった仕事関数の高い透明導電層と金属層との積層構造を用いる。逆に、ボトムエミッション型である場合、画素電極１２５として上述した透明導電層を用いる。本実施形態では、トップエミッション型の有機ＥＬ表示装置を例に挙げて説明する。また、画素電極１２５は、透明導電層、反射率の高い金属層、及び透明導電層の積層構造とする。
【００５９】
画素電極１２５上には、有機樹脂材料で構成される第１絶縁層１２６が設けられる。有機樹脂材料としては、ポリイミド系、ポリアミド系、アクリル系、エポキシ系もしくはシロキサン系といった公知の樹脂材料を用いることができる。第１絶縁層１２６は、画素電極１２５上の一部に開口部を有する。第１絶縁層１２６は、互いに隣接する画素電極１２５の間に、画素電極１２５の端部（エッジ部）を覆うように設けられ、隣接する画素電極１２５を離隔する部材として機能する。このため、第１絶縁層１２６は、一般的に「隔壁」、「バンク」とも呼ばれる。この第１絶縁層１２６から露出された画素電極１２５の一部が、発光素子１３０の発光領域となる。第１絶縁層１２６の開口部は、内壁がテーパー形状となるようにしておくことが好ましい。これにより後述する発光層の形成時に、画素電極１２５の端部におけるカバレッジ不良を低減することができる。第１絶縁層１２６は、画素電極１２５の端部を覆うだけでなく、平坦化膜１２３及び保護膜１２４が有するコンタクトホールに起因する凹部を埋める充填材として機能させてもよい。
【００６０】
画素電極１２５上には、有機層１２７が設けられる。有機層１２７は、少なくとも有機材料で構成される発光層を有し、発光素子１３０の発光部として機能する。有機層１２７には、発光層以外に、正孔注入層及び／又は正孔輸送層、電子注入層及び／又は電子輸送層といった各種の機能層も含まれ得る。発光層は、発光領域を覆うように、即ち、発光領域における第１絶縁層１２６の開口部及び第１絶縁層１２６の開口部を覆うように設けられる。
【００６１】
なお、本実施形態では、所望の色の光を発する発光層を含む有機層１２７を設け、各画素電極１２５上に異なる発光層を含む有機層１２７を形成することで、ＲＧＢの各色を表示する構成とする。つまり、本実施形態において、有機層１２７の発光層は、隣接する画素電極１２５の間では不連続である。また、正孔注入層及び／又は正孔輸送層、電子注入層及び／又は電子輸送層は、隣接する画素電極１２５の間では連続である。有機層として、公知の構造や公知の材料を用いることが可能であり、特に本実施形態の構成に限定されるものではない。また、有機層は、白色光を発する発光層を有し、カラーフィルタを通してＲＧＢの各色を表示してもよい。この場合、有機層は、第１絶縁層１２６上にも設けられてもよい。
【００６２】
有機層１２７上及び第１絶縁層１２６上には、対向電極１２８が設けられる。対向電極１２８は、発光素子１３０を構成する陰極（カソード）として機能する。本実施形態の表示パネル１００は、トップエミッション型であるため、対向電極１２８としては透光性を有する電極を用いる。透光性を有する電極を構成する薄膜としては、ＭｇＡｇ薄膜もしくは透明導電層（ＩＴＯやＩＺＯ）を用いる。対向電極１２８は、各画素１０９間を跨いで第１絶縁層１２６上にも設けられる。対向電極１２８は、表示領域１０３の端部付近の周辺領域において下層の導電層を介して外部端子へと電気的に接続される。上述したように、本実施形態では、第１絶縁層１２６から露出した画素電極１２５の一部（アノード）、有機層（発光部）及び対向電極１２８（カソード）によって発光素子１３０ａが構成される。
【００６３】
図１０に示すように、表示領域１０３上に第１無機絶縁層１３１、有機絶縁層１３２、及び第２無機絶縁層１３３を有する。第１無機絶縁層１３１、有機絶縁層１３２、及び第２無機絶縁層１３３は、発光素子１３０に水や酸素が侵入することを防止するための封止膜として機能する。表示領域１０３上に封止膜を設けることにより、発光素子１３０に水や酸素が侵入することを防止して、表示装置の信頼性を向上させることができる。第１無機絶縁層１３１及び第２無機絶縁層１３３として、例えば、窒化シリコン（ＳｉｘＮｙ）、酸化窒化シリコン（ＳｉＯｘＮｙ）、窒化酸化シリコン（ＳｉＮｘＯｙ）、酸化アルミニウム（ＡｌｘＯｙ）、窒化アルミニウム（ＡｌｘＮｙ）、酸化窒化アルミニウム（ＡｌｘＯｙＮｚ））、窒化酸化アルミニウム（ＡｌｘＮｙＯｚ）等の膜などを用いることができる（ｘ、ｙ、ｚは任意）。また、有機絶縁層１３２として、ポリイミド樹脂、アクリル樹脂、エポキシ樹脂、シリコーン樹脂、フッ素樹脂、シロキサン樹脂などを用いることができる。
【００６４】
以上説明した第２基板１１２から封止膜までをまとめて、本実施形態ではアレイ基板と呼ぶ。
【００６５】
第２無機絶縁層１３３上には、粘着材１３５が設けられている。粘着材１３５は、例えば、アクリル系、ゴム系、シリコーン系、ウレタン系の粘着材を用いることができる。また、粘着材１３５には、カルシウムやゼオライトなどの吸水物質が含まれていてもよい。粘着材１３５に吸水物質が含まれることにより、表示パネル１００の内部に水分が侵入した場合であっても、発光素子１３０に水分が到達することを遅らせることができる。また、粘着材１３５には、基板１０１と対向基板１０２との間の間隙を確保するためにスペーサを設けてもよい。このようなスペーサは、粘着材１３５に混ぜてもよいし、基板１０１上に樹脂等により形成してもよい。
【００６６】
対向基板１０２には、例えば、平坦化を兼ねてオーバーコート層が設けられてもよい。有機層が白色光を出射する場合、対向基板１０２には、主面（基板１０１に対向する面）にＲＧＢの各色にそれぞれ対応するカラーフィルタ、及び、カラーフィルタ間に設けられたブラックマトリクスが設けられていてもよい。対向基板１０２側にカラーフィルタを形成しない場合は、例えば、封止膜上に直接カラーフィルタを形成し、その上から粘着材１３５を形成すればよい。また、対向基板１０２の裏面（表示面側）には、偏光板１３８が設けられている。偏光板１３８は、円偏光板であることが好ましい。
【００６７】
図１１には、表示領域１０３ｂにおける画素１０９ｂの断面構造について示す。図１１に示す画素１０９ｂは、図１０に示す画素１０９ａと一部異なる構成を有している。具体的には、画素１０９ｂが有する発光素子１３０ｂの構成が、図１０に示す発光素子１３０ａの構成と一部異なっている。その他の構成については、図１０に示す構成と同様であるため、詳細な説明は省略する。
【００６８】
図１１に示す発光素子１３０ｂは、画素電極１２９、発光層を含む有機層１２７、及び対向電極１２８を有する。ここで、画素電極１２９は、透明導電層のみで形成されており、反射率の高い金属層は設けられていない。また、対向電極１２８は、図１０に示す発光素子１３０ａと同じ透明導電層で形成される。これにより、表示領域１０３ｂは、表示パネル１００が筐体から露出されている状態では、第１方向から表示を視認することができる。また、表示領域１０３ｂは、表示パネル１００が筐体に収納されている状態では、第１方向と反対の第２方向から、表示を視認できる。また、表示領域１０３ｂにおける複数の画素１０９ｂが全て非発光状態のときは、表示領域１０３ｂは、透明な領域となる。
【００６９】
図９では、表示領域１０３ａに設けられる発光素子として、光を反射する機能を有する画素電極１２５を有する発光素子１３０ａを使用し、表示領域１０３ｂに設けられる発光素子は、光を透過する機能を有する画素電極１２９を有する発光素子１３０ｂを使用する例について説明したが、本発明はこれに限定されない。表示領域１０３ｂに設けられる発光素子として、発光素子１３０ｂの他に、発光素子１３０ａが含まれていてもよい。
【００７０】
また、表示領域１０３ｂには、偏光板１４１及び偏光板１４２が設けられている。表示領域１０３ｂにおいて、偏光板１４１及び偏光板１４２は、クロスニコル状態をなすように設けられている。このように、偏光板１４１及び偏光板１４２を設けることにより、表示領域１０３ｂにおける画質を向上させることができる。
【００７１】
図１０に図示しないが、表示領域１０３ａにタッチパネルを設けることができる。また、表示領域１０３ｂについては、基板１０１側にもタッチパネルを設けることができる。これにより、表示装置２００を折り畳んだ状態であっても、表示領域１０３ａの表示を確認して、表示領域１０３ｂの基板１０１側からタッチパネルによって、操作することができる。なお、表示領域１０３ａ及び表示領域１０３ｂにおいて、偏光板が設けられている場合には、偏光板を介して、タッチパネルが設けられる。
【００７２】
本実施形態において、表示領域１０３における表示領域１０３ａ及び表示領域１０３ｂは、同時に製造することができる。例えば、図１０及び図１１に示す表示領域１０３ａ及び表示領域１０３ｂにおいて、保護膜１２４まで同時に形成することができる。画素電極を形成する際に、まず、表示領域１０３ａ及び表示領域１０３ｂにおいて、透明導電層を形成する。次に、表示領域１０３ａのみに、反射率が高い金属層を形成する。次に、表示領域１０３ａ及び表示領域１０３ｂにおいて、透明導電層を形成する。次に、これらの膜をパターニングすることで、表示領域１０３ａでは画素電極１２５、表示領域１０３ｂでは画素電極１２９を形成することができる。これにより、複雑な工程が増えることなく、反射性を有する画素電極１２５と、透光性を有する画素電極１２９とを形成することができる。その後、表示領域１０３ａ及び表示領域１０３ｂにおいて、発光層を含む有機層１２７を形成する工程以降を行えばよい。
【００７３】
本発明の実施形態及び実施例として説明した表示装置を基にして、当業者が適宜構成要素の追加、削除もしくは設計変更を行ったもの、又は、工程の追加、省略もしくは条件変更を行ったものも、本発明の要旨を備えている限り、本発明の範囲に含まれる。また、上述した各実施形態は、技術的矛盾の生じない範囲において、相互に組み合わせることが可能である。
【００７４】
また、上述した実施形態の態様によりもたらされる作用効果とは異なる他の作用効果であっても、本明細書等の記載から明らかなもの、又は、当業者において容易に予測し得るものについては、当然に本発明によりもたらされるものと解される。
【符号の説明】
【００７５】
１００：表示パネル、１０１：基板、１０２：対向基板、１０３：表示領域、１０３ａ：表示領域、１０３ｂ：表示領域、１０４：走査線駆動回路、１０５：データ線駆動回路、１０６：ドライバＩＣ、１０７：端子、１０８：フレキシブルプリント基板、１０９ａ：画素、１０９ｂ：画素、１１０：周辺領域、１１２：第２基板、１１３：下地膜、１１４：半導体層、１１５：ゲート絶縁膜、１１６：ゲート電極、１１７：ソース電極又はドレイン電極、１１８：ソース電極又はドレイン電極、１２０：トランジスタ、１２２：層間絶縁層、１２３：平坦化膜、１２４：保護膜、１２５：画素電極、１２６：第１絶縁層、１２７：有機層、１２８：対向電極、１２９：画素電極、１３０ａ：発光素子、１３０ｂ：発光素子、１３１：第１無機絶縁層、１３２：有機絶縁層、１３３：第２無機絶縁層、１３５：粘着材、１３８：偏光板、１４１：偏光板、１４２：偏光板、１５１：端子部、１５２：端子部、１５３：ＦＰＣ、２００：表示装置、２０１：筐体、２０２：ヒンジ、２０３：開口部、２１０：表示装置、２１１：筐体、２１２：軸、２１３：開口部、２１４：取り出し口、２２０：表示装置、２２１：筐体、２２３：開口部、２２４：取り出し口
【図１】
2018180254.tif 000003
【図２】
2018180254.tif 000004
【図３】
2018180254.tif 000005
【図４】
2018180254.tif 000006
【図５】
2018180254.tif 000007
【図６】
2018180254.tif 000008
【図７】
2018180254.tif 000009
【図８】
2018180254.tif 000010
【図９】
2018180254.tif 000011
【図１０】
2018180254.tif 000012
【図１１】
2018180254.tif 000013